(57)【要約】      （修正有）【課題】波長の異なる複数の光源からの光束を、波長選択性を有する光学部品で分離、合成して複数の対物レンズに導く光ピックアップにおいて、対物レンズに設計波長以外の光が漏れ込んで対物レンズに黒点等を発生させ、収差、透過率を悪化させることを防止する。【解決手段】ＢＤ８の場合は、ＢＤ用光源１からのレーザ光はミラー５を透過してミラー６で反射し、ＢＤ用対物レンズ７に入射する。ここでＤＶＤ／ＣＤ用の対物レンズ１４には、ミラー５にて反射した、ＢＤ用光源１からの不要なレーザ光を減衰させるためのコートが施されている。【選択図】図１
2011023059.tif 000002
【特許請求の範囲】
【請求項１】
第１の波長の光を伝播する第１の光路と、
第２の波長の光を伝播する第２の光路と、
を有する光ピックアップ装置において、
前記第１の光路と前記第２の光路とは一部が共用され、
前記第２の光路に配される光ピックアップレンズには前記第１の波長の光を減衰または遮断するコーティングが施される、
ことを特徴とする光ピックアップ装置。
【請求項２】
前記第１の波長は、
４００〜４２０ｎｍである、
ことを特徴とする請求項１に記載の光ピックアップ装置。
【請求項３】
前記コーティングは、
前記第２の光路に配される光ピックアップレンズの少なくとも一方のレンズ面に施される、
ことを特徴とする請求項１または２に記載の光ピックアップ装置。
【請求項４】
前記コーティングは、
前記第1の波長の光を１／３以下に減衰する、
ことを特徴とする請求項１から３のいずれかに記載の光ピックアップ装置。
【発明の詳細な説明】
【技術分野】
【０００１】
本発明は、光学的に情報の記録再生を行う光ピックアップ装置に関する。
【背景技術】
【０００２】
近年、情報の記録再生を行う光ディスク装置、例えばＣＤ、ＤＶＤ、ＢＤなど種類の異なる光ディスクを媒体として映像や画像、音声などの各種情報を記録再生する光ディスク装置が広く普及し、さまざまな用途のものが提供され、さらに小型化の要求がある。
【０００３】
小型化を実現するにあたり、光ピックアップ装置は、上記フォーマットの光ディスクを記録再生するため異なる波長の光源をそれぞれの用途に合った光学部品と組み合わせる必要がある。しかし、単に光学部品を小型化し組み合わせただけでは部品点数が減らず光ピックアップ装置全体の小型化は困難である。そこで小型化の手法の一つとして光学部品を一部共用化し、光ピックアップ装置の光路長を短縮し、小型化を実現する。
【０００４】
ＢＤ、ＤＶＤ、ＣＤが記録再生可能であって、光学部品を一部共用化した光ピックアップ装置の構成と動作の一例を説明する。図４はこのような光ピックアップ装置の構成を示す図である。
【０００５】
まずＢＤの場合について説明する。ＢＤ用の光源１０１である青紫色半導体レーザから出た光は、ビームスプリッタ１０２で反射し、コリメートレンズ１０３により平行光束に曲げられ、波長板１０４、ミラー１０５を透過し、ミラー１０６で反射し、ＢＤ用の対物レンズ１０７により、記録媒体１０８に集光される。記録媒体１０８で反射した光は、逆の経路を返り、ビームスプリッタ１０２、１１３を通過し、検出レンズ１０９を通って検出器１１０に入り、電気的な信号に変換され記録媒体１０８上のピットの有無、フォーカス、トラッキングを検出する。
【０００６】
次にＤＶＤまたはＣＤの場合について説明する。ＤＶＤまたはＣＤの波長を選択し、発光できる光源１１１である赤色半導体レーザから出た光は、波長板１１２を透過し、ビームスプリッタ１１３で反射し、コリメートレンズ１０３により平行光束に曲げられ、波長板１０４を通過し、ミラー１０５で反射し、ＤＶＤ、ＣＤ用の対物レンズ１１４により、記録媒体１１５に集光される。記録媒体１１５で反射した光は、逆の経路を返り、ビームスプリッタ１０２、１１３を通過し、検出レンズ１０９を通過し、検出器１１０に入り電気的な信号に変換され記録媒体１１５上のピットの有無、フォーカス、トラッキングを検出する。
【０００７】
ここで、ＢＤ用とＤＶＤ、ＣＤ用の対物レンズ１０７、１１４の２つのレンズは一体化されたレンズホルダ（図示せず）に取り付けられており、電気的手段（図示せず）により、一体となって記録媒体１０８、１１５とフォーカス、トラッキングしながら記録媒体に光を集光する。
【０００８】
一方、ＢＤ使用時にミラー１０５を完全に通過すべきＢＤ光が、一部反射され、レンズホルダに取り付けられたＤＶＤ、ＣＤ用の対物レンズ１１４を通過し、記録媒体１０８の表面で反射し、返って来た光がＤＶＤ、ＣＤ用の対物レンズ１１４内に集光し、対物レンズ１１４内部に黒点等のダメージを与え、ＤＶＤ、ＣＤ使用時に収差、透過率を悪化させる問題があった（図５参照）。これは、ＤＶＤ、ＣＤ用の光源１１１の波長が６５０ｎｍ、７８０ｎｍであるのに対して、ＢＤ用の光源１０１の波長が４０５ｎｍと短いために発生する問題である。したがって、ＢＤ用の対物レンズ１０７では問題とならない。
【０００９】
この問題に対して、ＢＤ使用時には返り光がＤＶＤ、ＣＤ用の対物レンズ１１４内部で集光しないようＤＶＤ、ＣＤ用の対物レンズ１１４のみ、フォーカスをずらしておく方法も考えられる。しかし、光ピックアップ装置の小型化と部品共用のため対物レンズ１０７、１１４の２つのレンズは一体化されたレンズホルダ（図示せず）に取り付けられており、ＤＶＤ、ＣＤ用の対物レンズ１１４のみ、独立してフォーカスをずらしておくことはできない。
【００１０】
すなわち、光ピックアップ装置を小型化する手法として、光学部品を共用化する手法があるが、上記のようにＤＶＤ、ＣＤ用の対物レンズ１１４内部に黒点等のダメージを与えるという問題があるので、必要な波長の光源を分離、合成する必要がある。そのため、光学部品を共用化するには、光学部品へのコート仕様に波長選択性が求められる。例えば特許文献１に記載の光ピックアップ装置のように光学部品に波長選択性を持たせたコートを施し、光の透過やビーム径を調整する方法がある。
【先行技術文献】
【特許文献】
【００１１】
【特許文献１】特開２００６−１２０２８４号公報
【発明の概要】
【発明が解決しようとする課題】
【００１２】
しかし、特許文献１に記載の光ピックアップ装置のように光の分離、合成部分のみへの波長選択性コートでは不十分であり、設計波長以外の光が漏れ、漏れ光が一度対物レンズを通過、ディスクで反射し、再び対物レンズ内に戻ってきた時に対物レンズ内部で焦点を結び対物レンズに黒点等を発生させ、収差、透過率を悪化させる問題があった。
【００１３】
本発明はこのような課題に対して、対物レンズに設計波長以外の波長の光が通過しないようなコートを施し、共用光学部品からの漏れ光を軽減し、対物レンズの収差悪化、透過率低下を防止するものである。
【課題を解決するための手段】
【００１４】
本発明の光ピックアップ装置は２つ以上の波長を有する光ピックアップ装置において、第１の波長の光を伝播する光路と、第１の波長以外の第２の波長の光を伝播する光路とは一部共用され、第１の波長は波長４００〜４２０ｎｍであり、第２の波長の光を伝播する光路に配されるレンズには第１の波長の光を減衰または、遮断するコートが施され、レンズ面には少なくともどちらか一方にコートを施し、第１の波長の光をレンズ全体として１／３以下に減衰するコートを施すことを特徴とする。
【発明の効果】
【００１５】
以上のように、本発明によれば、第２の波長の光を伝播する光路に配されるレンズには第１の波長の光を減衰または、遮断するコートが施されるので、共用光学部品からの漏れ光を軽減し、対物レンズの収差悪化、透過率低下を防止するという効果を奏する。
【図面の簡単な説明】
【００１６】
【図１】本発明の実施形態の光ピックアップ装置の構成図
【図２】本発明の実施形態のＢＤ光減衰コート設計性能を示す図
【図３】本発明の実施形態のＤＶＤ、ＣＤ用対物レンズとＢＤ光減衰コートと記録媒体を示す図
【図４】従来の光ピックアップ装置の構成図
【図５】従来のＤＶＤ、ＣＤ用対物レンズと記録媒体を示す図
【発明を実施するための形態】
【００１７】
本発明のＢＤ、ＤＶＤ、ＣＤが記録再生可能な光ピックアップ装置の構成と動作の一例を説明する。図１は光ピックアップ装置の構成を示す図である。
【００１８】
まずＢＤの場合について説明する。ＢＤ用の光源１である青紫色半導体レーザから出た光は、ビームスプリッタ２で反射し、コリメートレンズ３により平行光束に曲げられ、波長板４、ミラー５を透過し、ミラー６で反射し、ＢＤ用の対物レンズ７により、記録媒体８に集光される。記録媒体８を反射した光は、逆の経路を返り、ビームスプリッタ２、１３を通過し、検出レンズ９を通って、検出器１０に入り、電気的な信号に変換され記録媒体８上のピットの有無、フォーカス、トラッキングを検出する。
【００１９】
次にＤＶＤまたはＣＤの場合について説明する。ＤＶＤまたはＣＤの波長を選択して発光できる光源１１である赤色半導体レーザから出た光は、波長板１２を透過し、ビームスプリッタ１３で反射し、コリメートレンズ３により平行光束に曲げられ、波長板４、ミラー５で反射し、ＤＶＤ、ＣＤ用の対物レンズ１４により、記録媒体１５に集光される。記録媒体１５で反射した光は、逆の経路を返り、ビームスプリッタ２、１３を通過し、検出レンズ９を通って検出器１０に入り、電気的な信号に変換され記録媒体１５上のピットの有無、フォーカス、トラッキングを検出する。
【００２０】
ここで、従来と同様にＢＤ用とＤＶＤ、ＣＤ用の対物レンズ７、１４の２つのレンズは一体化されたレンズホルダ（図示せず）に取り付けられており、電気的手段（図示せず）により、一体となって記録媒体とフォーカス、トラッキングしながら記録媒体に光を集光する。
【００２１】
ＢＤ使用時にミラー５をすべて透過すべき光が一部反射し、ＤＶＤ、ＣＤ用の対物レンズ１４に漏れこんできた場合に、ＤＶＤ、ＣＤ用の対物レンズ１４へのダメージを防ぐ目的でＢＤ光を減衰するコート１６（図３参照）が施されており、ＢＤ光がＤＶＤ、ＣＤ用の対物レンズ１４の表面で反射されるよう、表１のような９層で構成されたコート１６が施されている。
【００２２】
【表１】
2011023059.tif 000003
【００２３】
その時の設計性能は図２となる。波長４００ｎｍでの高屈折材料の屈折率は２．１８２１４、低屈折材料の屈折率は１．４２８５５である。図２より分かるように、波長４００〜４２０ｎｍの波長範囲において透過率が波長６００ｎｍ以上の波長範囲の１／３以下となっており、ＢＤ使用時にＤＶＤ、ＣＤ用の対物レンズ１４へのＢＤ光の漏れこみにより、ＤＶＤ、ＣＤ用の対物レンズ１４内部に黒点等のダメージを与え、ＤＶＤ、ＣＤ使用時に収差、透過率を悪化させる不良を軽減できた。本実施例ではＤＶＤ、ＣＤ用の対物レンズ１４の入射側のレンズ面に波長４００〜４２０ｎｍの波長範囲において透過率が波長６００ｎｍ以上の波長範囲の１／３以下となる減衰コート１６を施したが、記録媒体側のレンズ面に同様の減衰コートを施しても効果は変わりない。また、レンズ両面に減衰コートを施しても効果は変わりない。その場合、レンズ表裏トータルの透過率が波長４００〜４２０ｎｍの波長範囲において波長６００ｎｍ以上の波長範囲の１／３以下であればなんら問題はない。さらに本実施例ではコートを９層で実施したが、層数も限定するものではない。
【産業上の利用可能性】
【００２４】
本発明によれば、第２の波長を伝播する光路に配されるレンズには第１の波長の光を減衰または、遮断するコートが施されるので、共用光学部品からの漏れ光を軽減し、対物レンズの収差悪化、透過率低下を防止するという効果を奏するので、複数のフォーマットの光ディスクを記録再生する光ピックアップ装置に適用して有用である。
【符号の説明】
【００２５】
１１、１１１    赤色半導体レーザ
１、１０１    青紫色半導体レーザ
２、１３、１０２、１１３    ビームスプリッタ
３、１０３    コリメートレンズ
４、１２、１０４、１１２    波長板
５、６、１０５、１０６    ミラー
７、１０７    ＢＤ用の対物レンズ
１４、１１４    ＤＶＤ、ＣＤの用対物レンズ
８、１５、１０８、１１５    記録媒体
９、１０９    検出レンズ
１０、１１０    検出器
１６    ＢＤ光減衰コート
【図１】
2011023059.tif 000004
【図２】
2011023059.tif 000005
【図３】
2011023059.tif 000006
【図４】
2011023059.tif 000007
【図５】
2011023059.tif 000008